(57)【要約】【課題】液状化現象に起因する堤体等の盛土や傾斜地盤の沈下を抑制できるとともに、施工が容易な地中鋼製壁構造および地中鋼製壁構造の施工方法を提供する。【解決手段】盛土１に、２列の地中鋼製壁３,３が平行に、かつ下端が地盤の支持層１２に達するようにして設けられ、互いに対向する地中鋼製壁３,３間に、鋼製隔壁５が地中鋼製壁３,３とほぼ直角に設けられ、鋼製隔壁５は、上下の長さが地中鋼製壁３より短くかつ、下端が地中鋼製壁３の下端より上方に位置するようにして設けられている。したがって、地震等の際に地盤に液状化現象が生じて、盛土内において、土が地中鋼製壁３の連続方向に流動しようとしても、これを鋼製隔壁５によって規制できるとともに、それと直角方向への土の流動を地中鋼製壁３によって規制できる。このように、盛土内において土の流動を規制できるので、盛土１の沈下を抑制できる。【選択図】図１
2014141777.tif 000002
【特許請求の範囲】
【請求項１】
盛土や傾斜地盤に、複数列の地中鋼製壁が平行に設けられた地中鋼製壁構造であって、
互いに対向する前記地中鋼製壁間に、鋼製隔壁が当該地中鋼製壁とほぼ直角に設けられ、
前記鋼製隔壁は、上下の長さが前記地中鋼製壁より短く、かつ、下端が前記地中鋼製壁の下端より上方に位置するようにして設けられていることを特徴とする地中鋼製壁構造。
【請求項２】
前記鋼製隔壁の下端が、前記盛土の法尻または前記傾斜地盤の傾斜面の下端より深いところに位置していることを特徴とする請求項１に記載の地中鋼製壁構造。
【請求項３】
前記鋼製隔壁は、その両側端部が対向する前記地中鋼製壁に係合していることを特徴とする請求項１または２に記載の地中鋼製壁構造。
【請求項４】
前記鋼製隔壁は、ハット形鋼矢板、Ｕ形鋼矢板、Ｚ形鋼矢板、直線形鋼矢板、Ｈ形鋼矢板、継手構造を有する鋼板のいずれかを、複数壁状に連結して構成されていることを特徴とする請求項１から３のいずれか１項に記載の地中鋼製壁構造。
【請求項５】
盛土や傾斜地盤に、複数列の地中鋼製壁を平行に設け、
次に、互いに対向する地中鋼製壁間に、上下の長さが前記地中鋼製壁より短い鋼製隔壁を、前記地中鋼製壁とほぼ直角になるように、かつ、下端が前記地中鋼製壁の下端より上方に位置するようにして、前記盛土の上面または前記傾斜地盤の傾斜面から打ち込んで設けることを特徴とする地中鋼製壁構造の施工方法。
【請求項６】
前記鋼製隔壁を前記盛土の上面または前記傾斜地盤の傾斜面から打ち込むとともに、当該鋼製隔壁の両側端部を対向する前記地中鋼製壁に係合していくことを特徴とする請求項５に記載の地中鋼製壁構造の施工方法。
【発明の詳細な説明】
【技術分野】
【０００１】
本発明は、盛土や傾斜地盤を安定させるための地中鋼製壁構造およびその施工方法に関する。
【背景技術】
【０００２】
大地震時、締まり具合の緩い砂地盤では、間隙水圧の上昇により、基礎地盤が軟化する、いわゆる液状化現象が発生し、上部構造物や地下構造物に多大な被害が発生する。このような地盤に対し、構造物の両脇や周囲を鋼矢板で締切ることにより、被害防止することが行われている。
例えば、堤防の地震対策としては、堤防法尻（法面下端部）を鋼矢板で締め切る補強工法が適用されることが多いが、鋼矢板は液状化地盤の流動化による変形抑制を抑制する目的で設置されており、堤防自体を補強するものではない。
そのため、想定外の集中豪雨などで急激に水位が上昇することによる浸透破壊や、越水による破堤を防止する目的で、堤体内に鋼矢板を設置し複合構造とする研究が行われている。
【０００３】
このような複合構造の一例として、堤体内の左右の法肩部（法面上端部）にそれぞれ、堤体の連続方向に沿って鋼矢板を支持層まで打設することにより、二重の鋼矢板壁を設置し、左右の鋼矢板壁の頭部をタイロッドで結合するものが提案されている（例えば、特許文献１参照）。
この構造によれば、地震時に堤体の沈下を抑制し、さらに、遮水性に優れる鋼矢板が堤体の高さを確保することにより、高水時の浸透破壊と越水による破堤を防止できるので、堤防の補強として効果的な構造である。
【先行技術文献】
【特許文献】
【０００４】
【特許文献１】特開２００３−１３４５１号公報
【発明の概要】
【発明が解決しようとする課題】
【０００５】
ところで前記従来の技術では、堤体に二重の鋼矢板壁を設置し、その頭部をタイロッドで結合しているので、地震等の際に地盤に液状化現象が生じた場合、堤体内部において、当該堤体の厚さ方向への土の流動を防止できるが、堤体の連続方向においては土の流動を規制しているものがないので、液状化現象が激しい場合、堤体内部の土が堤体の連続方向に流動し、その結果、堤体が沈下（天端の沈下）するおそれがある。
また、前記従来の技術では、タイロッドの設置のために、堤防の天端に対して掘削と埋戻しが必要となり、施工面で非常に手間を要するという問題がある。
さらに、河川堤防の場合は、堤防天端を掘削することは堤防高さを低くすることであり、一時的ではあるが洪水等に対する治水機能を低下させることとなる。
加えて、鋼矢板の頭部をタイロッドで結合した構造では、地震の際等に発生する地盤の液状化現象によって、堤防の土が沈下した場合に、対向する鋼矢板どうしが外側に膨らむようにようにして変形するおそれがある。鋼矢板の変形量をさらに抑制しようとすれば、タイロッドを２段に設置することも考えられる。しかし、この場合は、既存の斜面を大きく掘削するか、斜面下端で水平方向にボーリング削孔をするなどによってタイロッドを設置する必要があり、施工面では大幅に手間がかかることになる。
【０００６】
本発明は、前記事情に鑑みてなされたものであり、液状化現象に起因する堤体等の盛土や傾斜地盤の沈下を抑制できるとともに、施工が容易な地中鋼製壁構造および地中鋼製壁構造の施工方法を提供することを目的とする。
【課題を解決するための手段】
【０００７】
前記目的を達成するために、本発明の地中鋼製壁構造は、盛土や傾斜地盤に、複数列の地中鋼製壁が平行に設けられた地中鋼製壁構造であって、
互いに対向する前記地中鋼製壁間に、鋼製隔壁が当該地中鋼製壁とほぼ直角に設けられ、
前記鋼製隔壁は、上下の長さが前記地中鋼製壁より短く、かつ、下端が前記地中鋼製壁の下端より上方に位置するようにして設けられていることを特徴とする。
ここで、前記地中鋼製壁は、その下端部が地盤の支持層に達するようにして設けられていてもよいし、当該支持層の上の液状化層（液状化することが懸念される層）まで達するようにして設けられてもよい。
【０００８】
本発明においては、互いに対向する地中鋼製壁間に、鋼製隔壁が当該地中鋼製壁とほぼ直角に設けられているので、地震等の際に地盤に液状化現象が生じて、盛土や傾斜地盤の内部において、土が地中鋼製壁の連続方向に流動しようとしても、これを鋼製隔壁によって規制できるとともに、それと直角方向への土の流動を地中鋼製壁によって規制できる。このように、盛土や傾斜地盤の内部において土の流動を規制できるので、盛土や傾斜地盤の沈下を抑制できる。
また、鋼製隔壁は、上下の長さが地中鋼製壁より短く、かつ、下端が前記地中鋼製壁の下端より上方に位置するようにして設けられているので、施工も容易である。
つまり、鋼製隔壁は盛土の上面（天端）または傾斜地盤の上面である傾斜面から打ち込むことによって設置でき、従来のタイロッド設置の場合と異なり、堤防上面や傾斜面に対する掘削と埋戻しが不必要であり、しかも鋼製隔壁は上下の長さが地中鋼製壁より短く、かつ、下端が地中鋼製壁の下端より上方に位置するので、打ち込み長さ（深さ）も短くてすむ。したがって、従来に比して施工が容易となる。
【０００９】
また、本発明の前記構成において、前記鋼製隔壁の下端が、前記盛土の法尻または前記傾斜地盤の傾斜面の下端より深いところに位置しているのが好ましい。
【００１０】
このような構成によれば、鋼製隔壁の上下の長さを抑えながら、十分な補強効果を得ることができる。
つまり、盛土や傾斜地盤の場合、傾斜面と平地盤の境界となる傾斜面（盛土の場合は法面）の下端付近が最も変形が大きくなる傾向にあるので、鋼製隔壁の下端を、傾斜面の下端より深いところ位置するまで挿入することによって、傾斜面の下端の水平方向の変形を抑制することができ、十分な補強効果を得ることができる。
【００１１】
また、本発明の前記構成において、前記鋼製隔壁は、その両側端部が対向する前記地中鋼製壁に係合しているのが好ましい。
【００１２】
このような構成によれば、鋼製隔壁の両側端部が、対向する地中鋼製壁に係合しているので、鋼製隔壁どうしが外側に膨らむように変形するのを鋼製隔壁によって防止できる。したがって、地震の際等に発生する地盤の液状化現象によって、盛土や傾斜地盤が沈下するのをより効果的に抑制できる。
また、鋼製隔壁の上下の長さを適宜設定することによって、タイロッドを複数段設置するのと同等またはそれ以上の補強効果を得ることができるとともに、鋼製隔壁は打ち込み（打設）によって設置でき、従来のような傾斜面等の掘削も不必要なので、施工も容易となる。
【００１３】
また、本発明の前記構成において、前記鋼製隔壁は、ハット形鋼矢板、Ｕ形鋼矢板、Ｚ形鋼矢板、直線形鋼矢板、Ｈ形鋼矢板、継手構造を有する鋼板のいずれかを、複数壁状に連結して構成されていることが好ましい。
【００１４】
このような構成によれば、所定の長さおよび高さ（深さ）の鋼製隔壁を、互いに対向する地中鋼製壁間に容易に施工できる。
また、対向する地中鋼製壁の、前記鋼製隔壁が係合する部位に、ハット形鋼矢板、Ｕ形鋼矢板、Ｚ形鋼矢板、直線形鋼矢板、Ｈ形鋼矢板、継手構造を有する鋼板と連結可能な係合部（継手）を形成しておくことによって、鋼製隔壁の両側端部を対向する地中鋼製壁に容易に係合できる。
【００１５】
本発明の地中鋼製壁構造の施工方法は、盛土や傾斜地盤に、複数列の地中鋼製壁を平行に設け、
次に、互いに対向する地中鋼製壁間に、上下の長さが前記地中鋼製壁より短い鋼製隔壁を、前記地中鋼製壁とほぼ直角になるように、かつ、下端が前記地中鋼製壁の下端より上方に位置するようにして、前記盛土の上面（天端）または前記傾斜地盤の傾斜面から打ち込んで設けることを特徴とする。
【００１６】
本発明においては、互いに対向する地中鋼製壁間に、鋼製隔壁が当該地中鋼製壁とほぼ直角に設けるので、地震等の際に地盤に液状化現象が生じて、盛土や傾斜地盤の内部において、土が地中鋼製壁の連続方向に流動しようとしても、これを鋼製隔壁によって規制できるとともに、それと直角方向への土の流動を地中鋼製壁によって規制できる。このように、盛土や傾斜地盤の内部において土の流動を規制できるので、盛土や傾斜地盤の沈下を抑制できる。
また、鋼製隔壁は、上下の長さが地中鋼製壁より短く、かつ、下端が地中鋼製壁の下端より上方に位置するようにして、盛土の上面または前記傾斜地盤の傾斜面から打ち込んで設けるので、従来のタイロッド設置の場合と異なり、堤防上面や傾斜面に対する掘削と埋戻しが不必要であり、しかも鋼製隔壁は上下の長さが地中鋼製壁より短く、かつ、下端が地中鋼製壁の下端より上方に位置するので、打ち込み長さ（深さ）も短くてすむので、施工が容易となる。
【００１７】
また、本発明の前記構成において、前記鋼製隔壁を前記盛土の上面または前記傾斜地盤の傾斜面から打ち込むとともに、当該鋼製隔壁の両側端部を対向する前記地中鋼製壁に係合していくのが好ましい。
【００１８】
このような構成によれば、鋼製隔壁の両側端部が、対向する前記地中鋼製壁に係合するので、鋼製隔壁どうしが外側に膨らむように変形するのを鋼製隔壁によって防止できる。したがって、地震の際等に発生する地盤の液状化現象によって、堤防が沈下するのをより効果的に抑制できる。
また、鋼製隔壁の上下の長さを適宜設定することによって、タイロッドを複数段設置するのと同等またはそれ以上の補強効果を得ることができるとともに、鋼製隔壁を打ち込み（打設）によって設置しているので、従来のような傾斜面等の掘削も不必要なく、施工も容易となる。
【発明の効果】
【００１９】
本発明によれば、液状化現象に起因する堤体等の盛土の上面や傾斜地盤の傾斜面の沈下を抑制できるとともに、地中鋼製壁構造の施工が容易となる。
【図面の簡単な説明】
【００２０】
【図１】本発明の第１の実施の形態に係る地中鋼製壁構造を示すもので、（ａ）は横断面図、（ｂ）は要部の平面図、（ｃ）は変形例を示す横断面図である。
【図２】本発明の第２の実施の形態に係る地中鋼製壁構造の二つの例を示すもので、（ａ）は第１例の横断面図、（ｂ）は第２例の横断面図である。
【図３】本発明の第３の実施の形態に係る地中鋼製壁構造の二つの例を示すもので、（ａ）は第１例の横断面図、（ｂ）は第２例の横断面図である。
【図４】本発明の第４の実施の形態に係る地中鋼製壁構造の二つの例を示すもので、（ａ）は第１例の横断面図、（ｂ）は第２例の横断面図である。
【図５】本発明の第５の実施の形態に係る地中鋼製壁構造の二つの例を示すもので、（ａ）は第１例の横断面図、（ｂ）は第２例の横断面図である。
【図６】本発明の第６の実施の形態に係る地中鋼製壁構造の二つの例を示すもので、（ａ）は第１例の横断面図、（ｂ）は第２例の横断面図である。
【図７】本発明の第７の実施の形態に係る地中鋼製壁構造の二つの例を示すもので、（ａ）は第１例の横断面図、（ｂ）は第２例の横断面図である。
【図８】本発明の第８の実施の形態に係る地中鋼製壁構造の二つの例を示すもので、（ａ）は第１例の横断面図、（ｂ）は第２例の横断面図である。
【図９】本発明の第９の実施の形態に係る地中鋼製壁構造の二つの例を示すもので、（ａ）は第１例の横断面図、（ｂ）は第２例の横断面図である。
【発明を実施するための形態】
【００２１】
以下、図面を参照しながら本発明の実施の形態について説明する。
（第１の実施の形態）
図１は、本発明の第１の実施の形態に係る地中鋼製壁構造を示すもので、（ａ）は横断面図、（ｂ）は平面図である。
【００２２】
図１（ａ）において、符号１は盛土からなる堤防を示す。この堤防（堤体）１は、中央の最も高い部分が水平な上面を有する天端１ａになっている。この天端１ａの左右には傾斜した法面１ｂがそれぞれ形成され、法面１ｂの上端部側が法肩１ｃ、下端部側が法尻１ｄとされている。
【００２３】
また、堤防１の法肩１ｃ,１ｃ付近に、鋼矢板２が堤防１の延長方向（連続方向）に連結して打設されてなる２列の地中鋼製壁３,３が互いに平行に設けられている。
地中鋼製壁３は、盛土からなる堤防１の天端１ａの高さ位置より少し下から基礎地盤１１の下側の支持層１２まで根入れされている。また、地中鋼製壁３を構成する鋼矢板２としては、地震による土圧や水圧が当該鋼矢板２に作用しても、倒壊しないだけの断面性能を有するものが適用される。
鋼矢板２としては、ハット形鋼矢板、Ｕ形鋼矢板、Ｚ形鋼矢板、直線形鋼矢板、Ｈ形鋼矢板等が好適に使用され、これらが複数壁状に連結されることによって、地中鋼製壁３が構築されている。
【００２４】
図１（ａ）、（ｂ）に示すように、互いに対向する地中鋼製壁３,３間に、鋼製隔壁５が前記地中鋼製壁３とほぼ直角に設けられている。この鋼製隔壁５は、上下の長さが地中鋼製壁３より短く、かつ、下端が地中鋼製壁３の下端より上方に位置するようにして設けられている。また、鋼製隔壁５は、上端を地中鋼製壁３の上端とほぼ等しいか当該上端より所定長さだけ低くして設けられている。
鋼製隔壁５を、その上端が地中鋼製壁３の上端より所定長さだけ低くして設ける場合、鋼製隔壁５の上端を堤防１の天端１ａより約１ｍ程度下げて設けるのが好ましい。このように、鋼製隔壁５の上端を堤防１の天端１ａより下げて設けることによって、想定外の集中豪雨などで急激に水位が上昇して、越水により堤防の天端１ａがある程度浸食されても、鋼製隔壁５が表面に現れることがないので、堤防天端の交通を妨げることがないという利点がある。
また、鋼製隔壁５は、図１（ｂ）に示すように、堤防１の連続方向（図１（ｂ）において上下方向）に、所定間隔（例えば１０ｍ程度）で設けられているが、この間隔は堤防１の規模等によって適宜設定される。図１（ｂ）では、隣り合う鋼製隔壁５,５どうしの間隔は一定となっているが、堤防の部位によっては間隔を長くしたり、短くしてもよい。
【００２５】
また、鋼製隔壁５は、その下端が、盛土からなる堤防１の法尻１ｄより深いところに位置するようにして、堤防１の天端１ａから打ち込まれている。鋼製隔壁５は、地中鋼製壁３および地盤１１の水平変形が最も大きくなる深さまで設置することが望ましいため、本実施の形態では、鋼製隔壁５は、堤防１の法面１ｂと地盤１１の地盤面との境界となる法尻１ｄより深い所定の位置まで打ち込まれているが、当該鋼製隔壁５の下端は支持層１２まで達していない。
また、鋼製隔壁５の下端が、法尻１ｄより深い所定位置で、より法面１ｂの下端に近い位置とすることが、十分な補強効果を得られる中で、最も鋼製隔壁５で使用する鋼矢板２の量が少なく、経済性のうえからも好ましい。
【００２６】
前記鋼製隔壁５は、地中鋼製壁３と同様に、鋼矢板６を複数壁状に連結することによって構成されている。鋼矢板６としては、ハット形鋼矢板、Ｕ形鋼矢板、Ｚ形鋼矢板、直線形鋼矢板、Ｈ形鋼矢板等が好適に使用され、これらが複数壁状に連結されることによって、鋼製隔壁５が構築されている。また、鋼製隔壁５を構成するものとしては、鋼矢板６に限らず、例えば、継手構造を有する鋼板を用いてもよい。
【００２７】
また、本実施の形態では、鋼製隔壁５の両側端部は、地中鋼製壁３に当接または近接しているが、鋼製隔壁５による補強効果を高めるためには、鋼製隔壁５の両側端部を対向する地中鋼製壁３,３に係合するのが好ましい。
この場合、例えば、地中鋼製壁３の鋼製隔壁５を係合すべき部位に、鋼製隔壁５を構成する鋼矢板６の継手と係合するような継手を形成しておけばよい。この継手としては、鋼矢板６を堤防１の天端１ａから打ち込んで堤防１に挿入する際に、当該鋼矢板６の継手が上方から係合可能でかつ、水平方向に離れないような形状とする。例えば、鋼矢板６の継手が断面略Ｃ字形の場合、これに係合するような断面略Ｃ字形や棒状の継手とすればよい。
このようにして、鋼製隔壁５の両側端部が対向する地中鋼製壁３,３に係合することによって、当該地中鋼製壁３,３は鋼製隔壁５によって連結され、地中鋼製壁３,３が外側に膨らむのを防止している。
【００２８】
なお、鋼製隔壁５を地中鋼製壁３,３間に設ける場合、鋼製隔壁５の両側部を前記のように地中鋼製壁３,３に係合してもよいし、一側部のみを地中鋼製壁３に係合してもよいし、さらに、上述したように、両側部を地中鋼製壁３,３に係合しなくてもよい。
【００２９】
このような第１の実施の形態に係る地中鋼製壁構造を施工する場合、まず、地中鋼製壁３を構成する鋼矢板２を堤防１の延長方向に順次、堤防１の天端１ａの法肩１ｃ,１ｃから打ち込むとともに、先に打ち込んだ鋼矢板２の継手に、後に打ち込む鋼矢板２の継手を係合していくことによって、２列の地中鋼製壁３,３を平行に施工する。鋼矢板２は、その下端が地盤１１の支持層１２に達するようにして打ち込まれる。
【００３０】
次に、互い対向する地中鋼製壁３,３間に、鋼製隔壁５を、地中鋼製壁３とほぼ直角になるように、かつ、下端が地中鋼製壁３の下端より上方に位置するようにして設ける。この場合、地中鋼製壁３,３間に、鋼製隔壁５を構成する鋼矢板６を堤防１の延長方向と直交する方向（地中鋼製壁３と直交する方向）に順次、堤防１の天端１ａの法肩１ｃ,１ｃ間において打ち込むとともに、先に打ち込んだ鋼矢板６の継手に、後に打ち込む鋼矢板６の継手を係合していくことによって、地中鋼製壁３,３間に、鋼製隔壁５を、地中鋼製壁３とほぼ直角になるようにして施工する。
鋼矢板６を打ち込む場合、その下端が地中鋼製壁３の下端より上方に位置するようして打ち込むことによって、施工された鋼製隔壁５の下端は地中鋼製壁３の下端より上方に位置することになる。また、鋼矢板６の打ち込み長さおよび位置は、当該鋼矢板６の下端が法尻１ｄより深い所定位置で、より法面１ｂの下端（法尻１ｄ）に近い位置とする。
【００３１】
また、鋼製隔壁５の側端部を地中鋼製壁３,３に係合する場合、地中鋼製壁３の鋼製隔壁を係合すべき部位に予め継手を固定しておく。そして、鋼製隔壁５の左右両側部を構成する鋼矢板６,６を堤防１の法肩１ｃ,１ｃの近傍に打ち込んで堤防１に挿入する際に、当該鋼矢板６の継手を上方から地中鋼製壁３の継手に上方から係合していく。これによって、地中鋼製壁３,３は鋼製隔壁５によって連結される。
【００３２】
以上のように本実施の形態によれば、互いに対向する地中鋼製壁３,３間に、鋼製隔壁５が当該地中鋼製壁３とほぼ直角に設けられているので、地震等の際に地盤に液状化現象が生じて、盛土からなる堤防１の内部において、土が地中鋼製壁３の連続方向（堤防１の連続方向）に流動しようとしても、これを鋼製隔壁５によって規制できるとともに、それと直角方向への土の流動を地中鋼製壁３によって規制できる。このように、盛土（堤防１）の内部において土の流動を規制できるので、盛土（堤防１）の沈下を抑制できる。
また、鋼製隔壁５は堤防（盛土）１の天端１ａから打ち込むことによって設置でき、従来のタイロッド設置の場合と異なり、堤防１の上面（天端）１ａに対する掘削と埋戻しが不必要であり、しかも鋼製隔壁５は上下の長さが地中鋼製壁３より短く、かつ、下端が地中鋼製壁３の下端より上方に位置するので、打ち込み長さも短くてすむ。したがって、従来に比して施工が容易となる。
【００３３】
また、鋼製隔壁５の下端が、堤防１の法尻１ｄより深いところに位置しているので、鋼製隔壁５の上下の長さを抑えながら、十分な補強効果を得ることができる。
つまり、堤防１の場合、法面１ｂと平地盤の境界となる法面下端付近が最も変形が大きくなる傾向にあるので、鋼製隔壁５の下端を、法面下端（法尻１ｄ）より深いところに位置するまで挿入することによって、傾斜面の下端の水平方向の変形を抑制することができ、十分な補強効果を得ることができる。
【００３４】
さらに、鋼製隔壁５の両側端部を、対向する地中鋼製壁３,３に係合した場合、地中鋼製壁３,３どうしが外側に膨らむように変形するのを鋼製隔壁５によって防止できる。したがって、地震の際等に発生する地盤の液状化現象によって、堤防（盛土）１が沈下するのをより効果的に抑制できる。
また、鋼製隔壁５の上下の長さ、つまり鋼製隔壁５を構成する鋼矢板６の上下長さを適宜設定することによって、タイロッドを複数段設置するのと同等またはそれ以上の補強効果を得ることができるとともに、鋼製隔壁５は鋼矢板６の打ち込み（打設）によって設置でき、従来のような傾斜面等の掘削も不必要なので、施工も容易となる。
【００３５】
また、鋼製隔壁５は鋼矢板６を複数壁状に連結して構成されているので、当該鋼製隔壁５を所定の長さおよび高さ（深さ）に調整できる。したがって、互いに対向する地中鋼製壁３,３間に容易に鋼製隔壁５を施工できる。
また、対向する地中鋼製壁３,３の鋼製隔壁５が係合する部位に、鋼矢板６と連結可能な係合部（継手）を形成しておくことによって、鋼製隔壁５の両側端部を対向する地中鋼製壁３,３に容易に係合できる。
【００３６】
なお、本実施の形態では、地中鋼製壁３,３を、その下端部が地盤の支持層１２に達するようにして設けたが、当該支持層１２の上の液状化層（液状化することが懸念される層）１１まで達するようにして設けてもよい。つまり、液状化層（液状化することが懸念される層）１１で地中鋼製壁３,３の根入れをとめてもよい。
従来の地中鋼製壁３,３の上端部をタイロッドで結合した構造では、地震等の際に地盤に液状化現象が生じた場合に、地中鋼製壁３,３の下端が「八」の字のように水平方向に締切り外側へ変形する挙動が見られるが、本実施の形態のように地中鋼製壁３,３間に鋼製隔壁５を設け、継手係合させる場合は地中鋼製壁３,３の水平方向の変形を抑えることができるので、従来に比して、堤防（盛土）１の沈下抑制が非常に効果的となる。
【００３７】
図１（ｃ）は、第１の実施の形態の変形例を示す横断面図である。この変形例では、堤防（盛土）１が比較的固い地盤（支持層）１２上に設けられているので、地中鋼製壁３の上下の長さが、図１（ａ）に示すものより、短くなっており、この支持層１２に根入れされている。また、鋼製隔壁５は、図１（ａ）に示すものと同様に、下端が、盛土からなる堤防１の法尻１ｄより深いところに位置するようにして、堤防１の天端１ａから打ち込まれている。
本変形例によれば、第１の実施の形態と同様の効果を得ることができるが、地中鋼製壁３の上下の長さが短く、打ち込み長さ（深さ）も小さいので、その分施工が容易となる。
【００３８】
（第２の実施の形態）
図２は、本発明の第２の実施の形態に係る地中鋼製壁構造を示すもので、（ａ）は盛土の両側の地盤の高さが等しい場合、（ｂ）は盛土の両側の地盤の高さが異なる場合の横断面図である。
【００３９】
図２（ａ）および（ｂ）に示すように、本実施の形態では、鋼製隔壁５の上下の長さが第１の実施の形態における鋼製隔壁５に比して短くなっていおり、その他の構成は第１の実施の形態と同様であるので、共通部分には同一符号を付してその説明を省略する。
鋼製隔壁５は、第１の実施の形態における鋼矢板６より上下の長さが短い鋼矢板６を壁状に連結することによって構成され、その下端は盛土からなる堤防１の法尻１ｄより上方に位置するようにして、堤防１の天端１ａから打ち込まれている。また、鋼製隔壁５の両側端部は、対向する地中鋼製壁３,３に、第１の実施の形態の場合と同様にして係合されている。また、鋼製隔壁５は前記第１の実施の形態と同様にして施工する。
【００４０】
本実施の形態によれば、鋼製隔壁５の下端が堤防１の法尻１ｄより浅いところに位置（上方に位置）しているので、第１の実施の形態に比して、鋼製隔壁５による補強効果は小さくなるが、従来のタイロッドを設置するのと同等の補強効果を得ることができるとともに、堤防上面に対する掘削と埋戻しが不必要であり、しかも鋼製隔壁５は上下の長さが第１の実施の形態における鋼製隔壁５より十分に短いので、第１の実施の形態に比して施工が容易となる。
【００４１】
（第３の実施の形態）
図３は、本発明の第３の実施の形態に係る地中鋼製壁構造を示すもので、（ａ）は盛土の両側の地盤の高さが等しい場合、（ｂ）は盛土の両側の地盤の高さが異なる場合の横断面図である。
【００４２】
図３（ａ）および（ｂ）に示すように、本実施の形態では、鋼製隔壁５の上下の長さが第１の実施の形態における鋼製隔壁５に比して長くなっていおり、その他の構成は第１の実施の形態と同様であるので、共通部分には同一符号を付してその説明を省略する。
鋼製隔壁５は、第１の実施の形態における鋼矢板６より上下の長さが長い鋼矢板６を壁状に連結することによって構成され、その下端は地盤１１の下側の支持層１２まで根入れされている。また、鋼製隔壁５は前記第１の実施の形態と同様にして施工する。
【００４３】
本実施の形態によれば、鋼製隔壁５の下端が地中鋼製壁３と同様に支持層１２に位置しているので、第１の実施の形態に比して施工は手間がかかるが、鋼製隔壁５による補強効果が大きくなり、地震の際等に発生する地盤の液状化現象によって、堤防（盛土）１が沈下するのをより確実に抑制できる。
【００４４】
（第４の実施の形態）
図４は、本発明の第４の実施の形態に係る地中鋼製壁構造を示すものであり、当該実施の形態では盛土の両側の地盤の高さが異なっている。
図４（ａ）に示す例では、堤防（盛土）１の両側の法尻１ｄ,１ｄを結ぶ線分（破線で示す）に沿って、鋼製隔壁５の下端が揃えられている。したがって、鋼製隔壁５を構成する鋼矢板６は、図４（ａ）において、一方（左方）の法尻１ｄから他方（右方）の法尻１ｄに向かうにしたがって上下の長さが徐々に短くなっている。
図４（ｂ）に示す例では、図４（ａ）に示すものと同様に、堤防（盛土）１の両側の法尻１ｄ,１ｄを結ぶ線分（破線で示す）は水平に対して傾斜しているが、鋼製隔壁５を構成する鋼矢板６は全て上下の長さが等しくなっている。また、これら鋼矢板６は全てその下端が、盛土からなる堤防１の法尻１ｄより深いところに位置するようにして、堤防１の天端１ａから打ち込まれている。なお、他の構成は第１の実施の形態と同様であるので、共通部分には同一符号を付してその説明を省略する。
【００４５】
鋼製隔壁５は、地中鋼製壁３および地盤１１の水平変形が最も大きくなる深さまで設置することが望ましいため、図４（ａ）に示す実施の形態では、鋼製隔壁５の下端が堤防（盛土）１の両側の法尻１ｄ,１ｄを結ぶ線分（破線で示す）に沿って揃えれている。したがって、鋼製隔壁５の材料の量を最低限に抑えながらも、第１の実施の形態と同様の効果を得ることができる。
また、図４（ｂ）に示す実施の形態では、鋼製隔壁５の下端が低い方の法尻１ｄより深いところに位置しているので、図４（ａ）に示すものに比して、若干施工費用がかかるものの、補強効果が高いという利点がある。
（第５の実施の形態）
図５は、本発明の第５の実施の形態に係る地中鋼製壁構造を示すものである。前記第１〜第４の実施の形態では、２列の地中鋼製壁３,３間に鋼製隔壁５を設ける例について説明したが、本実施の形態では３列の地中鋼製壁３・・・間に鋼製隔壁５を設けている。なお、図１に示すものと共通の構成には同一符号を付してその説明を省略する。
【００４６】
図５（ａ）に示すように、本実施の形態では、第１〜第４の実施の形態に比して、堤防（盛土）１の左右の幅が長くなっている。このため、地中鋼製壁３,３が堤防１の法肩１ｃ,１ｃ付近から打ち込まれるとともに、法肩１ｃ,１ｃの間の中央部の天端１ａから地中鋼製壁３が打ち込まれている。これによって、堤防（盛土）１に、３列の地中鋼製壁３・・・が平行にかつ、かつ下端が地盤の支持層１２に達するようにして設けられている。
隣り合う地中鋼製壁３,３間には、第１の実施の形態と同様にして、鋼製隔壁５が設けられている。
【００４７】
また、図５（ｂ）に示すように、本実施の形態では、基礎地盤１１とその下側の支持層１２との境界が水平面に対して傾いている。このため、３列の地中鋼製壁３・・・のうち、右側の法肩１ｃ近傍から打ち込まれた地中鋼製壁３の上下の長さが最も短く、左側の法肩１ｃ近傍から打ち込まれた地中鋼製壁３の上下の長さが最も長くなっている。これら３列の地中鋼製壁３・・・は平行にかつ、かつ下端が地盤の支持層１２に達するようにして設けられている。また、図５（ｂ）において、左側に位置する地中鋼製壁３と中央に位置する地中鋼製壁３との間に設けられる鋼製隔壁５の方が、右側の位置する地中鋼製壁３と中央に位置する地中鋼製壁３との間に設けられる鋼製隔壁５より上下の長さが長くなっている。
【００４８】
本実施の形態によれば、第１の実施の形態と同様の効果が得られる他、堤防（盛土）１の左右の幅が大きくなった場合でも、盛土（堤防１）の内部において土の流動を規制できるので、盛土（堤防１）の沈下を抑制できる。
また、基礎地盤１１とその下側の支持層１２との境界が水平面に対して傾いている場合、支持層１２に近い側の地中鋼製壁３および鋼製隔壁５の上下の長さを短くできるので、その分、地中鋼製壁３および鋼製隔壁５の材料費および施工費を軽減できる。
【００４９】
（第６の実施の形態）
図６は、本発明の第６の実施の形態に係る地中鋼製壁構造を示すものである。第１〜第５の形態では、堤防（盛土）１を地中鋼製壁構造によって補強する場合を例にとって説明したが、本実施の形態では、傾斜地盤を地中鋼製壁構造によって補強する場合の例である。
【００５０】
図６（ａ）に示すように、傾斜地盤１０の崩壊を防止するために、当該傾斜地盤１０に第６の実施の形態に係る地中鋼製壁構造が擁壁として施工されている。
すなわちまず、傾斜地盤１０の上面は水平面に対して傾斜する傾斜面１０ａとなっており、この傾斜面１０ａの下端部近傍に、鋼矢板２が傾斜面１０ａの傾斜方向と平面視において直交する方向に連続して打設されてなる２列の地中鋼製壁１３,１３が互いに平行に設けられている。
地中鋼製壁１３,１３は、傾斜面１０ａの傾斜方向に離間して設けられ、当該傾斜面１０ａの傾斜方向上側に位置する地中鋼製壁１３を構成する鋼矢板２は、その上端を傾斜面１０ａとほぼ等しくなるようにして、基礎地盤１１の下側の支持層１２まで根入れされている。
また、傾斜面１０ａの傾斜方向下側に位置する地中鋼製壁３を構成する鋼矢板２は、傾斜面１０ａより上方に突出するようにして基礎地盤１１の下側の支持層１２まで根入れされている。
また、地中鋼製壁１３を構成する鋼矢板２としては、第１〜第５の実施の形態と同様に、地震による土圧や水圧が当該鋼矢板２に作用しても、倒壊しないだけの断面性能を有するものが適用される。
鋼矢板２としては、ハット形鋼矢板、Ｕ形鋼矢板、Ｚ形鋼矢板、直線形鋼矢板、Ｈ形鋼矢板等が好適に使用され、これらが複数壁状に連結されることによって、地中鋼製壁１３が構築されている。
【００５１】
図６（ａ）に示すように、互いに対向する地中鋼製壁１３,１３間に、鋼製隔壁１５が地中鋼製壁１３とほぼ直角に設けられている。この鋼製隔壁１５は、上下の長さが地中鋼製壁１３より短く、かつ、下端が地中鋼製壁１３の下端より上方に位置するようにして設けられている。さらに、鋼製隔壁１５の下端は、傾斜地盤１０の傾斜面１０ａの下端より深いところ（下方）に位置している。
また、鋼製隔壁１５は、上端を傾斜面１０ａの傾斜方向上側に位置する地中鋼製壁１３の上端とほぼ等しくして設けられている。鋼製隔壁１５は第１の実施の形態と同様に、複数の鋼矢板６を壁状に連結することによって構成されている。
【００５２】
また、図６（ｂ）に示すように、互いに対向する地中鋼製壁１３,１３間に、鋼製隔壁１５が地中鋼製壁１３とほぼ直角に設けられている。この鋼製隔壁１５は、上下の長さが地中鋼製壁１３より短く、かつ、下端が地中鋼製壁１３の下端より上方に位置するようにして設けられている。さらに、鋼製隔壁１５の下端は、傾斜地盤１０の傾斜面１０ａの下端より深いところ（下方）に位置している。
また、鋼製隔壁１５は、上端を傾斜面１０ａの上面に揃えて設けられている。鋼製隔壁１５は図６（ａ）に示すものと同様に、複数の鋼矢板６を壁状に連結することによって構成されているが、当該鋼矢板６はその上端が水平に揃えられておらず、傾斜面１０ａに揃えられている。
【００５３】
このような第６の実施の形態に係る地中鋼製壁構造を施工する場合、まず、地中鋼製壁１３を構成する鋼矢板２を傾斜地盤１０の傾斜面１０ａと平面視において直交する方向（図６において紙面と直交する方向）に順次、傾斜面１０ａから打ち込むとともに、先に打ち込んだ鋼矢板２の継手に、後に打ち込む鋼矢板２の継手を係合していくことによって、２列の地中鋼製壁１３,１３を平行に施工する。鋼矢板２は、その下端が地盤１１の支持層１２に達するようにして打ち込まれる。
【００５４】
次に、互い対向する地中鋼製壁１３,１３間に、鋼製隔壁１５を、地中鋼製壁１３とほぼ直角になるように、かつ、下端が地中鋼製壁１３の下端より上方でさらに傾斜面１０ａの下端より下方に位置するようにして設ける。この場合、地中鋼製壁１３,１３間に、鋼製隔壁１５を構成する鋼矢板６を地中鋼製壁１３と直交する方向に順次打ち込むとともに、先に打ち込んだ鋼矢板６の継手に、後に打ち込む鋼矢板６の継手を係合していくことによって、地中鋼製壁１３,１３間に、鋼製隔壁１５を、地中鋼製壁１３とほぼ直角になるようにして施工する。鋼矢板６を打ち込む場合、その下端が地中鋼製壁１３の下端より上方でかつ傾斜面１０ａの下端より下方に位置するようして打ち込むことによって、施工された鋼製隔壁１５の下端は地中鋼製壁３の下端より上方で傾斜面１０ａの下端より下方に位置することになる。
【００５５】
また、鋼製隔壁１５の側端部を地中鋼製壁１３,１３に係合する場合、地中鋼製壁１３の鋼製隔壁を係合すべき部位に予め継手を固定しておく。そして、鋼製隔壁１５の左右両側部を構成する鋼矢板６,６を傾斜面１０ａに打ち込んで傾斜地盤１０挿入する際に、当該鋼矢板６の継手を上方から地中鋼製壁１３の継手に上方から係合していく。これによって、地中鋼製壁１３,１３は鋼製隔壁１５によって連結される。
【００５６】
本実施の形態によれば、互いに対向する地中鋼製壁１３,１３間に、鋼製隔壁１５が当該地中鋼製壁１３とほぼ直角に設けられているので、地震等の際に地盤に液状化現象が生じて、傾斜地盤１０の内部において、土が地中鋼製壁１３の連続方向に流動しようとしても、これを鋼製隔壁１５によって規制できるとともに、それと直角方向への土の流動を地中鋼製壁１３によって規制できる。このように、傾斜地盤１０の内部において土の流動を規制できるので、傾斜地盤の沈下を抑制できる。
また、鋼製隔壁１５は傾斜地盤１０の傾斜面１０ａから打ち込むことによって設置でき、従来のタイロッド設置の場合と異なり、傾斜面に対する掘削と埋戻しが不必要であり、しかも鋼製隔壁１５は上下の長さが地中鋼製壁１３より短く、かつ、下端が地中鋼製壁１３の下端より上方に位置するので、打ち込み長さも短くてすむ。したがって、従来に比して施工が容易となる。
【００５７】
また、鋼製隔壁１５の下端が、傾斜地盤１０の傾斜面１０ａの下端より深いところに位置しているので、鋼製隔壁１５の上下の長さを抑えながら、十分な補強効果を得ることができる。
つまり、傾斜地盤１０の場合、傾斜面１０ａと平地盤の境界となる法面下端付近が最も変形が大きくなる傾向にあるので、鋼製隔壁１５の下端を、法面下端（傾斜面１０ａの下端）より深いところ位置するまで挿入することによって、傾斜面１０ａの下端の水平方向の変形を抑制することができ、十分な補強効果を得ることができる。
【００５８】
さらに、鋼製隔壁１５の両側端部を、対向する地中鋼製壁１３,１３に係合した場合、地中鋼製壁１３,１３どうしが外側に膨らむように変形するのを鋼製隔壁１５によって防止できる。したがって、地震の際等に発生する地盤の液状化現象によって、傾斜地盤１０が沈下するのをより効果的に抑制できる。
また、鋼製隔壁１５の上下の長さ、つまり鋼製隔壁１５を構成する鋼矢板６の上下長さを適宜設定することによって、タイロッドを複数段設置するのと同等またはそれ以上の補強効果を得ることができるとともに、鋼製隔壁１５は鋼矢板６の打ち込み（打設）によって設置でき、従来のような傾斜面等の掘削も不必要なので、施工も容易となる。
【００５９】
また、鋼製隔壁１５は鋼矢板６を複数壁状に連結して構成されているので、当該鋼製隔壁１５を所定の長さおよび高さ（深さ）に調整できる。したがって、互いに対向する地中鋼製壁１３,１３間に容易に鋼製隔壁５を施工できる。
また、対向する地中鋼製壁１３,１３の鋼製隔壁１５が係合する部位に、鋼矢板６と連結可能な係合部（継手）を形成しておくことによって、鋼製隔壁１５の両側端部を対向する地中鋼製壁１３,１３に容易に係合できる。
【００６０】
（第７の実施の形態）
図７は、本発明の第７の実施の形態に係る地中鋼製壁構造を示すものである。図７（ａ）および（ｂ）に示すように、本実施の形態では、鋼製隔壁１５の上下の長さが第６の実施の形態における鋼製隔壁１５に比して短くなっていおり、その他の構成は第６の実施の形態と同様であるので、共通部分には同一符号を付してその説明を省略する。
鋼製隔壁１５は、第６の実施の形態における鋼矢板６より上下の長さが短い鋼矢板６を壁状に連結することによって構成され、その下端は傾斜地盤１０の傾斜面１０ａの下端より上方に位置するようにして、傾斜面１０ａから打ち込まれている。また、鋼製隔壁１５の両側端部は、対向する地中鋼製壁１３,１３に、第６の実施の形態の場合と同様にして係合されている。また、鋼製隔壁１５は前記第１の実施の形態と同様にして施工する。
【００６１】
本実施の形態によれば、鋼製隔壁１５の下端が傾斜地盤１０の傾斜面１０ａの下端より浅いところに位置しているので、第６の実施の形態に比して、鋼製隔壁１５による補強効果は小さくなるが、従来のタイロッドを設置するのと同等の補強効果を得ることができるとともに、傾斜面１０ａに対する掘削と埋戻しが不必要であり、しかも鋼製隔壁１５は上下の長さが第６の実施の形態における鋼製隔壁１５より十分に短いので、第６の実施の形態に比して施工が容易となる。
【００６２】
（第８の実施の形態）
図８は本発明の第８の実施の形態に係る地中鋼製壁構造を示すものである。図８（ａ）および（ｂ）に示すように、本実施の形態では、鋼製隔壁１５の上下の長さが第６の実施の形態における鋼製隔壁１５に比して長くなっていおり、その他の構成は第６の実施の形態と同様であるので、共通部分には同一符号を付してその説明を省略する。
鋼製隔壁１５は、第６の実施の形態における鋼矢板６より上下の長さが長い鋼矢板６を壁状に連結することによって構成され、その下端は地盤１１の下側の支持層１２まで根入れされている。また、鋼製隔壁１５は前記第６の実施の形態と同様にして施工する。
【００６３】
本実施の形態によれば、鋼製隔壁１５の下端が地中鋼製壁１３と同様に支持層１２に位置しているので、第６の実施の形態に比して施工は手間がかかるが、鋼製隔壁１５による補強効果が大きくなり、地震の際等に発生する地盤の液状化現象による、傾斜地盤１０が沈下するのをより確実に抑制できる。
【００６４】
（第９の実施の形態）
図９は本発明の第９の実施の形態に係る地中鋼製壁構造を示すものである。図９（ａ）および（ｂ）に示すように、３列の地中鋼製壁１３・・・が平行にかつ、かつ下端が地盤の支持層１２に達するようにして設けられている。
隣り合う地中鋼製壁１３,１３には、第６の実施の形態と同様にして、鋼製隔壁１５が設けられている。
【００６５】
また、図９（ｂ）に示すように、本実施の形態では、基礎地盤１１とその下側の支持層１２との境界が水平面に対して傾いている。このため、３列の地中鋼製壁１３・・・のうち、傾斜面１０ａの傾斜方向下側から打ち込まれた地中鋼製壁１３の上下の長さが最も短く、傾斜面１０ａの傾斜方向上側から打ち込まれた地中鋼製壁１３の上下の長さが最も長くなっている。これら３列の地中鋼製壁１３・・・は平行にかつ、かつ下端が地盤の支持層１２に達するようにして設けられている。また、図９（ｂ）において、左側に位置する地中鋼製壁１３と中央に位置する地中鋼製壁１３との間に設けられる鋼製隔壁１５の方が、右側の位置する地中鋼製壁１３と中央に位置する地中鋼製壁１３との間に設けられる鋼製隔壁１５より上下の長さが長くなっている。
【００６６】
本実施の形態によれば、第６の実施の形態と同様の効果が得られる他、傾斜地盤１０の補強幅が大きくなった場合でも、傾斜地盤１０の内部において土の流動を規制できるので、傾斜地盤１０の沈下を抑制できる。
また、基礎地盤１１とその下側の支持層１２との境界が水平面に対して傾いている場合、支持層１２に近い側の地中鋼製壁１３および鋼製隔壁１５の上下の長さを短くできるので、その分、地中鋼製壁１３および鋼製隔壁１５の材料費および施工費を軽減できる。
【００６７】
なお、第１〜第９の実施の形態において、対向する地中鋼製壁３,３（１３,１３）に鋼製隔壁５（１５）を設けるとともに、これら地中鋼製壁３,３（１３,１３）をタイロッドによって結合してもよい。この場合、従来と同様に、堤防１の天端や傾斜地盤１０の傾斜面１０ａに対して掘削と埋戻しが必要となり、手間を要することになるが、鋼製隔壁５（１５）を設けることによって、タイロッドの本数を減らすことができるので、その分、手間を削減できる。
【符号の説明】
【００６８】
１    堤防（盛土）
１ｄ  法尻
２    鋼矢板
３,１３    地中鋼製壁
５,１５    鋼製隔壁
６  鋼矢板
１０  傾斜地盤
１０ａ  傾斜面
【図１】
2014141777.tif 000003
【図２】
2014141777.tif 000004
【図３】
2014141777.tif 000005
【図４】
2014141777.tif 000006
【図５】
2014141777.tif 000007
【図６】
2014141777.tif 000008
【図７】
2014141777.tif 000009
【図８】
2014141777.tif 000010
【図９】
2014141777.tif 000011